(57)【要約】信号を検出して携帯デバイスの呼び出しモードを変更する方法であって、以下のステップを含む。最初に、所定の領域に進入しようとしている信号が検出される。次いで、信号の内容に従って、特定の呼び出しモードが信号へ追加される。次に、前記特定の呼び出しモードを有する信号が、前記所定の領域に位置する携帯デバイスへ送信される。続いて、携帯デバイスが、信号受信時の携帯デバイスの呼び出しモードとして、前記特定の呼び出しモードを使用する。この方法を適用する装置も開示される。
2008546223.tif 000002
【特許請求の範囲】
【請求項１】
信号を検出して携帯デバイスの呼び出しモードを変更する方法であって、
（ａ）所定の領域に進入しようとする信号を検出するステップ、
（ｂ）信号の内容に従って、特定の呼び出しモードを信号へ追加するステップ、
（ｃ）前記特定の呼び出しモードを有する信号を、前記所定の領域に位置する携帯デバイスへ送信するステップ、および
（ｄ）信号受信時の携帯デバイスの呼び出しモードとして、携帯デバイスによる前記特定の呼び出しモードの使用を可能にするステップ
を含む方法。
【請求項２】
信号の内容が、信号の出所情報を含む、請求項１に記載の方法。
【請求項３】
特定の呼び出しモードが、無音の振動モードである、請求項１に記載の方法。
【請求項４】
信号を検出して携帯デバイスの呼び出しモードを変更する方法であって、
（ａ）所定の領域に進入しようとする信号を検出するステップ、
（ｂ）信号の内容に従って、特定の呼び出しモードおよび認証情報を信号へ追加するステップ、
（ｃ）前記特定の呼び出しモードおよび前記認証情報を有する信号を、前記所定の領域に位置する携帯デバイスへ送信するステップ、
（ｄ）携帯デバイスによる前記認証情報の検証を可能にするステップ、および
（ｅ）信号が携帯デバイスによる検証に合格した場合に、信号受信時の携帯デバイスの呼び出しモードとして、携帯デバイスによる前記特定の呼び出しモードの使用を可能にするステップ
を含む方法。
【請求項５】
信号の内容が、信号の出所情報を含む、請求項４に記載の方法。
【請求項６】
特定の呼び出しモードが、無音の振動モードである、請求項４に記載の方法。
【請求項７】
所定の領域に進入しようとしている信号を検出し、前記所定の領域に位置する携帯デバイスの呼び出しモードを変更するように構成されている信号フィルタ処理装置であって、
信号の検出および携帯デバイスへの信号の送信を行う検出ユニット、
携帯デバイスが信号受信時の携帯デバイスの呼び出しモードとして特定の呼び出しモードを使用するよう、信号へ特定の呼び出しモードを追加する追加ユニット、および
検出ユニットからの信号の内容に応じ、信号を追加ユニットへ送る必要があるか否かを判断するフィルタ処理ユニット
を有する信号フィルタ処理装置。
【請求項８】
信号の内容が、信号の出所情報を含む、請求項７に記載の信号フィルタ処理装置。
【請求項９】
特定の呼び出しモードが、無音の振動モードである、請求項７に記載の信号フィルタ処理装置。
【請求項１０】
信号が携帯デバイスによる検証に合格した場合に携帯デバイスが信号受信時の携帯デバイスの呼び出しモードとして特定の呼び出しモードを使用するよう、前記追加ユニットが、さらに認証情報を信号へ追加する、請求項７に記載の信号フィルタ処理装置。
【請求項１１】
特定の呼び出しモードを有する信号を受信するように構成された携帯デバイスであって、
信号を受信する通信ユニット、
前記通信ユニットから信号を受信し、信号中に特定の呼び出しモードが存在しているか否かを判断する制御ユニット、および
前記特定の呼び出しモードを出力する出力ユニット
を有する携帯デバイス。
【請求項１２】
信号の内容が、信号の出所情報を含む、請求項１１に記載の携帯デバイス。
【請求項１３】
特定の呼び出しモードが、無音の振動モードである、請求項１１に記載の携帯デバイス。
【請求項１４】
信号が、さらに認証情報を含んでおり、
前記制御ユニットが、認証情報の検証をさらに行い、信号の認証情報が当該制御ユニットによる検証に合格した場合にのみ前記出力ユニットが特定の呼び出しモードを出力する、請求項１１に記載の携帯デバイス。
【発明の詳細な説明】
【技術分野】
【０００１】
本発明は、携帯デバイスの呼び出しモードを変更する方法、およびこの方法を適用する装置に関し、さらに詳しくは、信号の検出を通じて携帯デバイスの呼び出しモードを変更する方法、およびこの方法を適用する装置に関する。
【背景技術】
【０００２】
電話は、人々の間の通信に欠くことができない道具となっている。移動体通信技術の急速な発展により、今日では、人々は他者との通信のために携帯電話機をいつでも利用することができる。ＶｏＩＰ（Ｖｏｉｃｅ  ｏｖｅｒ  ＩＰ）として知られるインターネット・プロトコル基盤（ＩＰ基盤）の電話が、移動体通信の分野において立場を獲得し始めている。しかしながら、伝統的な携帯電話およびＩＰ基盤の携帯電話は、解決する必要がある共通の問題を抱えている。すなわち携帯電話のユーザが、静かな環境（病院、会議室、または劇場、などの騒がしくない環境）にいる場合に、着信の呼び出し音によって引き起こされる迷惑をどのようにして防止できるかという問題を抱えている。
それ故に、「Ｓｗｉｔｃｈｉｎｇ  ａ  ｍｏｂｉｌｅ  ｔｅｒｍｉｎａｌ  ｔｏ  ａ  ｓｉｌｅｎｔ  ｒｉｎｇ  ｍｏｄｅ」という名称の欧州特許出願公開ＥＰ１０３５７４８Ａ１号が、携帯端末の呼び出しモードを切り替えるため、所定の領域において携帯端末へマナー向上信号（すなわち、呼び出しモードの切り替えの要求）を定期的かつ広く送信することによって、携帯端末を無音の呼び出しモードへ切り替える方法を提案している。
しかしながら、上述の特許は、以下の欠点を有する。第１に、携帯端末が前記所定の領域において、マナー向上信号を受信する直前に呼び出しを受けた場合、その携帯端末は、元々の呼び出しモードを使用することになる。第２に、上述の特許の意図する目的を達成するためには、携帯端末の設定を変更しなければならない。
【０００３】
さらに、図１を参照すると、所定の領域３（すなわち、騒がしくない環境）に位置する携帯デバイス２１によって所定の領域３に対して引き起こされる迷惑を防止するという目的を達成する従来からのやり方が、以下のとおり説明される。第１に、所定の領域３の外側の発呼者１０が、発信側携帯デバイス１１を使用して被発呼者２０の携帯デバイス２１を呼び出す。電話信号が、ネットワーク電話によって採用された形態でハブ２５へ伝達される。次いで、ハブ２５が、電話信号を所定の領域３の内側の複数のアクセスポイント（ＡＰ）２２、２３、２４へ送信する。次に、信号方向２９によって示されているように、携帯デバイス２１が、アクセスポイント２２を介して電話信号を受信することができる。
【発明の開示】
【発明が解決しようとする課題】
【０００４】
しかしながら、携帯デバイス２１が電話信号を受信したときに呼び出し音が生成されて所定の領域３に対して迷惑が引き起こされることがないようにするため、被発呼者２０は、携帯デバイス２１の呼び出しモードを無音または振動モードへ手作業で変更しなければならず、これは被発呼者２０にとって不便であり、したがって効果的な解決が必要である。
【課題を解決するための手段】
【０００５】
（その解決方法）
したがって、本発明の目的は、信号を捕捉、すなわち検出して携帯デバイスの呼び出しモードを変更する方法であって、所定の領域に進入しようとしている信号を検出し、この所定の領域に位置する携帯デバイスの呼び出しモードを変更するために、検出した信号へ特定の呼び出しモードを追加する検出機構を利用する方法を提供することにある。
【０００６】
したがって、信号を検出して携帯デバイスの呼び出しモードを変更する本発明の方法は、以下のステップを含む。最初に、所定の領域に進入しようとしている信号が検出される。次いで、信号の内容に従って、特定の呼び出しモードが信号へ追加される。次に、前記特定の呼び出しモードを有する信号が、前記所定の領域に位置する携帯デバイスへ送信される。続いて、携帯デバイスが、信号受信時の携帯デバイスの呼び出しモードとして、前記特定の呼び出しモードを使用する。
【０００７】
本発明の他の目的は、信号を検出して携帯デバイスの呼び出しモードを変更する他の方法であって、所定の領域に進入しようとしている信号を検出し、この所定の領域に位置する携帯デバイスの呼び出しモードを、認証プロセスを介して変更するために、検出した信号へ特定の呼び出しモードならびに認証情報を追加する検出機構を利用する方法を提供することにある。
したがって、信号を検出して携帯デバイスの呼び出しモードを変更する本発明の、このもう１つの方法は、以下のステップを含む。最初に、所定の領域に進入しようとしている信号が検出される。次いで、信号の内容に従って、特定の呼び出しモードおよび認証情報が信号へ追加される。その後に、前記特定の呼び出しモードおよび前記認証情報を有する信号が、前記所定の領域に位置する携帯デバイスへ送信される。次に、携帯デバイスが、認証情報の検証を行う。続いて、信号が携帯デバイスによる検証に合格した場合に、携帯デバイスが、信号受信時の携帯デバイスの呼び出しモードとして、前記特定の呼び出しモードを使用する。
【０００８】
本発明のさらなる目的は、所定の領域に進入しようとしている信号を検出し、この所定の領域に位置する携帯デバイスの呼び出しモードを変更するために、検出した信号へ特定の呼び出しモードを追加する検出機構を利用する信号フィルタ処理装置を提供することにある。
したがって、本発明の信号フィルタ処理装置は、所定の領域に進入しようとしている信号を検出して、前記所定の領域に位置する携帯デバイスの呼び出しモードを変更するように構成されており、検出ユニット、追加ユニット、およびフィルタ処理ユニットを備えている。検出ユニットは、信号の検出および携帯デバイスへの信号の送信を行うために使用される。追加ユニットは、信号へ特定の呼び出しモードを追加するために使用され、この特定の呼び出しモードが、信号受信時の携帯デバイスの呼び出しモードとして、携帯デバイスによって使用される。フィルタ処理ユニットは、信号を追加ユニットへ送る必要があるか否かを、検出ユニットからの信号の内容に応じて判断するために使用される。
【０００９】
本発明のさらに他の目的は、特定の呼び出しモードを有する信号を受信する携帯デバイスを提供することにある。
したがって、本発明の携帯デバイスは、通信ユニット、制御ユニット、および出力ユニットを備えている。通信ユニットが、信号を受信するために使用される。制御ユニットが、通信ユニットから信号を受信し、信号中に特定の呼び出しモードが存在しているか否かを判断するために使用される。出力ユニットが、前記特定の呼び出しモードを出力するために使用される。
【発明を実施するための最良の形態】
【００１０】
図２を参照すると、携帯デバイスの呼び出しモードを変更すべく信号を検出する本発明による方法は、以下のステップを含んでいる。最初に、ステップ５１において、所定の領域にまさに入ろうとしている信号が捕捉、すなわち検出される。次いで、ステップ５２において、特定の呼び出しモードが、信号の内容に応じて信号へ追加される。次に、ステップ５３において、前記特定の呼び出しモードを含む信号が、前記所定の領域に位置する携帯デバイスへ送信される。続いて、ステップ５４において、携帯デバイスが、信号の受信時に携帯デバイスの呼び出しモードとして前記特定の呼び出しモードを使用する。
【００１１】
次に、図３を参照して、図２に示した本発明の方法を適用する通信アーキテクチャの好ましい実施の形態を説明する。最初に、所定の領域３（この実施の形態においては、騒音による迷惑から保護されるべき病院、会議室、または劇場を表わしている）の外側に位置する発呼者１０が、発信側携帯デバイス１１によって電話信号を送信する。次いで、この電話信号が、ネットワーク電話によって採用された形態でインターネット（図示されていない）を介して伝達される。次に、信号がハブ４５へ進入する前に、信号フィルタ処理装置４６によって検出される。続いて、信号フィルタ処理装置４６が、特定の呼び出しモード（この実施の形態においては、無音の振動モードを表わしている）を信号へ追加する。その後に、信号フィルタ処理装置４６が、この信号をハブ４５へ送信する。次いで、ハブ４５が、信号を所定の領域３の内側に位置する複数のアクセスポイント４２、４３、４４へ送信する。次に、信号方向４９によって示されているように、被発呼者４０によって使用されている携帯デバイス４１が、アクセスポイント４２を介して電話信号を受信することができる。この結果、携帯デバイス４１は、実際の入力呼び出しモードとして信号中の前記特定の呼び出しモード（無音の振動）を使用することができ、所定の領域３への迷惑を防止するという目的が達成される。
【００１２】
本発明の上述の好ましい実施の形態について、図４に示したとおりの動作時のメッセージの流れをさらに参照すると、本発明の円滑な動作を可能にするために、最初に信号フィルタ処理装置４６の迷惑防止サービスが有効にされる必要がある。図４に示した実施の形態は、ＳＩＰ（Ｓｅｓｓｉｏｎ  Ｉｎｉｔｉａｔｉｏｎ  Ｐｒｏｔｏｃａｌ）にもとづいて実装されているが、これに限られるわけではない。例えば、Ｈ．３２３プロトコルも、本発明を実施するために利用可能である。ここで、手順６１に示されているように、発呼者１０が電話をかけるべく発信側携帯デバイス１１を使用するとき、携帯デバイス１１が、ＳＩＰベースのＩＮＶＩＴＥリクエストを発信する。次いで、このＩＮＶＩＴＥリクエストが、インターネットを介して伝達された後に信号フィルタ処理装置４６によって検出される。次に、信号フィルタ処理装置４６が、無音の振動という特定の呼び出しモードおよび信号フィルタ処理装置４６のＩＤ（認証情報）をＩＮＶＩＴＥリクエストへ追加する。次に、手順６２において、ＩＮＶＩＴＥリクエストが、前記所定の領域３の携帯デバイス４１へ送信される。
【００１３】
その後に手順６３に示されているように、携帯デバイス４１が、ＩＮＶＩＴＥリクエストが正規の信号フィルタ処理装置４６によって発せられたものであるか否かを、ＩＮＶＩＴＥリクエスト内の認証情報に従って検証する。ＩＮＶＩＴＥリクエストが携帯デバイス４１による検証に合格すると、携帯デバイス４１は、無音の振動という特定の呼び出しモードを使用して被発呼者４０に着信を知らせる。次いで、手順６４に示されているように、携帯デバイス４１が、ＳＩＰベースの１８０  Ｒｉｎｇメッセージを信号フィルタ処理装置４６へ発信し、携帯デバイス４１が無音の振動呼び出しモードにあることを知らせる。次に、手順６５において、信号フィルタ処理装置４６が、１８０  Ｒｉｎｇメッセージを発信側携帯デバイス１１へ転送する。次いで、被発呼者４０が、電話に応答するか否かを、発呼者１０の電話番号に応じて判断する。被発呼者４０が呼び出しに応答する場合、手順６６において携帯デバイス４１が、ＳＩＰベースの２００  ＯＫメッセージを信号フィルタ処理装置４６へ発信し、被発呼者４０が呼び出しに応答したことを知らせる。次に、手順６７において、信号フィルタ処理装置４６が、ＳＩＰベースの２００  ＯＫメッセージを発信側携帯デバイス１１へ転送する。続いて、手順６８に示されているように、発信側携帯デバイス１１が、ＳＩＰベースのＡＣＫメッセージを信号フィルタ処理装置４６へ発信する。その後に、手順６９において、信号フィルタ処理装置４６が、ＡＣＫメッセージを前記所定の領域３の携帯デバイス４１へ転送する。このように、信号を検出して呼び出しモードを変更すべく信号フィルタ処理装置４６を使用することによって、発信側携帯デバイス１１および所定の領域３にある携帯デバイス４１が、電話セッションを円滑に行うことができる。
【００１４】
さらに図５を参照すると、本発明における信号フィルタ処理装置４６は、所定の領域３に進入しようとする信号を検出して、所定の領域３内に位置する携帯デバイス４１の呼び出しモードを変更するように構成されており、フィルタ処理ユニット４６１、追加ユニット４６２、データベース４６３、および検出ユニット４６４を備えている。データベース４６３が、種々の呼び出しモード情報を提供し、追加ユニット４６２が、信号の内容に従って、データベース４６３から特定の呼び出しモードを取り出して信号へ追加する。
【００１５】
フィルタ処理ユニット４６１が、以下の機能を実行するために使用される。第１に、フィルタ処理ユニット４６１は、検出ユニット４６４から送信された外部の信号（例えば、ＶｏＩＰ通信信号）を受信するために使用される。第２にフィルタ処理ユニット４６１は、信号が通信信号であるか否かなど、信号の種類を判断するために使用される。さらに、フィルタ処理ユニット４６１が、信号が通信信号であると判断した場合、その信号は追加ユニット４６２へ送信され、追加ユニット４６２は、この通信信号へ加えるべき特定の呼び出しモード情報を生成することができる。さらに、フィルタ処理ユニット４６１が、信号が通信以外の信号であると判断した場合、その信号は検出ユニット４６４へ直接送信される。
追加ユニット４６２は、フィルタ処理ユニット４６１から信号を受信した後にデータベース４６３に保存されている呼び出しモード設定データに従って特定の呼び出しモード情報を生成し、後に検出ユニット４６４へ送信する信号に特定の呼び出しモード情報を追加するために使用される。加えて、追加ユニット４６２は、信号に認証情報を追加するためにも使用され、これにより、携帯デバイス４１は、信号が携帯デバイス４１による検証に合格したならば、信号受信時の自身の呼び出しモードとして前記特定の呼び出しモードを使用することができる。
【００１６】
検出ユニット４６４は、以下の機能を実行するために使用される。第１に、検出ユニット４６４は、ネットワークから外部の信号を受信した後に、信号をフィルタ処理ユニット４６１へ送信するために使用される。第２に、検出ユニット４６４は、フィルタ処理ユニット４６１からの信号を受信した場合に、これを携帯デバイス４１へ送信する。さらに、検出ユニット４６４は、特定の呼び出しモード情報を含む信号を追加ユニット４６２から受信した場合に、これを携帯デバイス４１へ送信する。
【００１７】
図５を参照すると、本発明の携帯デバイス４１が所定の領域３に位置しているとき、これを所定の領域３へ進入する信号を受信するために使用することができる。信号フィルタ処理装置４６が、信号を所定の領域３への進入に先立って検出し、信号の中身に応じて、信号に特定の呼び出しモードを追加する必要があるか否かを判断する。信号が特定の呼び出しモードを有する場合、所定の領域３に位置する携帯デバイス４１は、この特定の呼び出しモードを、信号受信時の自身の呼び出しモードとして使用することができる。携帯デバイス４１は、出力ユニット４１１、制御ユニット４１２、データベース４１３、および通信ユニット４１４を有する。データベース４１３が、制御ユニット４１２が必要とする呼び出しモード情報を提供するために使用される。
出力ユニット４１１が、制御ユニット４１２によって受信された信号の内容に応じた該当の呼び出しモードを出力するために使用される。
制御ユニット４１２は、以下の機能を実行するために使用される。通信ユニット４１４から信号を受信した後に、制御ユニット４１２は、信号中に特定の呼び出しモードが存在するか否かを判断する。信号中に特定の呼び出しモードが存在する場合には、制御ユニット４１２は、出力ユニット４１１によって相応の呼び出しモードを出力できるよう、この特定の呼び出しモードを出力ユニット４１１へ送信する。反対に、信号中に特定の呼び出しモードが存在しない場合には、入力ユニット４１１が、出力のために元々の呼び出しモードをデータベース４１３から取り出す。
通信ユニット４１４は、信号フィルタ処理装置４６から送信された信号を受信し、これを制御ユニット４１２へ送信するために使用される。
【００１８】
図６を参照すると、信号フィルタ処理装置４６の動作の流れの好ましい実施の形態は、以下のステップを含む。最初に、ステップ７１において、検出ユニット４６４が、所定の領域３へ進入しようとする外部の信号を検出し、この信号をフィルタ処理ユニット４６１へ送信する。次いで、ステップ７２において、フィルタ処理ユニット４６１が、信号が通信信号であるか否かを判断する。例としてＳＩＰを使用するならば、ステップ７２は、信号がＩＮＶＩＴＥメッセージであるか否かを判断するステップである。判断の結果がイエス（ＹＥＳ）である場合、フィルタ処理ユニット４６１は、信号を追加ユニット４６２へ送信する。次に、ステップ７３において追加ユニット４６２が、信号の内容に応じて信号へ特定の呼び出しモードを追加し、この信号を検出ユニット４６４へ送信する。続いて、ステップ７４において検出ユニット４６４が、この特定の呼び出しモードを含む信号を外部へ送信する。反対に、ステップ７２における判断結果が否（ＮＯ）である場合には、ステップ７５において、フィルタ処理ユニット４６１が検出ユニット４６４へ信号を直接送信し、検出ユニット４６４が信号を外部へ送信する。
【００１９】
さらに図７を参照すると、携帯デバイス４１の動作の流れの好ましい実施の形態が、以下のステップを含む。最初に、ステップ８１において、通信ユニット４１４が信号を受信し、この信号を制御ユニット４１２へ送信する。次いで、ステップ８２において、制御ユニット４１２が、信号中に特定の呼び出しモードが存在するか否かを判断する。判断結果がイエス（ＹＥＳ）である場合、ステップ８３において出力ユニット４１１が、制御ユニット４１２から送信される特定の呼び出しモードにもとづいて出力を行う。反対に、判断結果が否（ＮＯ）の場合には、ステップ８４において出力ユニット４１１が、呼び出しモードとして出力するために、データベース４１３からもとものの呼び出しモードを取り出す。
本発明の信号フィルタ処理装置４６によって検出される信号が、上述の好ましい実施の形態において発信側携帯デバイス１１によって発信されるあらゆる通信信号であってよく、それらの信号にて運ばれる呼び出しモード、すなわち無音の振動モードに加えて、信号が火災警報信号など、他の出所から送信される信号であってもよいことに注意すべきである。その場合、加算警報信号にて運ばれる特定の呼び出しモードは、はるかに大きな呼び出し音など、火災の存在を被発呼者４１へ警報する他の種類の呼び出しモードであってよい。
【００２０】
要約すると、信号を検出して携帯デバイス４１の呼び出しモードを変更する本発明による方法、ならびにこの方法を適用する装置は、所定の領域３へ進入しようとするあらゆる信号を検出するために検出機構（捕捉機構とも言う）を使用し、検出した信号へ特定の呼び出しモードを追加して、携帯デバイス４１が信号受信時に自身の呼び出しモードとしてこの特定の呼び出しモードを使用できるようにする。本発明の機構は、アクセスポイント、ルータ、ハブ、ゲートウェイ、またはプロキシ・サーバなど、既存のネットワーク・アーキテクチャへ容易に取り入れることができ、さまざまな形態で実現することができる。
【００２１】
以上、本発明を、最も現実的かつ好ましいと考えられる実施の形態に関して説明したが、本発明が、ここに開示された実施の形態に限られず、最も広い解釈による技術的思想および技術的範囲に含まれる種々の構成に及び、そのような変更および等価な構成のすべてを包含するものであることを、理解すべきである。
【産業上の利用可能性】
【００２２】
本発明は、信号を検出して携帯デバイスの呼び出しモードを変更する方法および装置に適用可能である。
【図面の簡単な説明】
【００２３】
【図１】所定の領域に位置する被発呼者へインターネット電話をかける所定の領域の外側の発呼者を示した概略図である。
【図２】信号を検出して携帯デバイスの呼び出しモードを変更する本発明による方法について、好ましい実施の形態を説明するフローチャートである。
【図３】本発明の方法を適用する通信アーキテクチャの好ましい実施の形態を示した概略図である。
【図４】本発明の動作におけるメッセージの流れについて、好ましい実施の形態を説明する動作フローチャートである。
【図５】信号フィルタ処理装置および携帯デバイスを含む本発明の実装を説明するためのシステム・アーキテクチャの図である。
【図６】信号フィルタ処理装置の動作の流れの好ましい実施の形態を説明するフローチャートである。
【図７】携帯デバイスの動作の流れの好ましい実施の形態を説明するフローチャートである。
【符号の説明】
【００２４】
３・・・所定の領域
１０・・発呼者
１１・・発信側携帯デバイス
４１・・携帯デバイス
４５・・ハブ
４６・・信号フィルタ処理装置
４２、４３、４４・・アクセスポイント
【図１】
2008546223.tif 000003
【図２】
2008546223.tif 000004
【図３】
2008546223.tif 000005
【図４】
2008546223.tif 000006
【図５】
2008546223.tif 000007
【図６】
2008546223.tif 000008
【図７】
2008546223.tif 000009
【国際調査報告】
2008546223.tif 000010
2008546223.tif 000011